【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
自動車のテレマティクスシステムからテレマティクスデータを受信し、
前記テレマティクスデータの導出インジケーションをデータ記録システムに伝達し、
第三者からの回答の要求に応答して、前記テレマティクスデータを用いて前記回答を演算し、
前記回答および前記回答の有効性証明を前記第三者に伝達し、前記回答の前記有効性証明は、前記テレマティクスデータの前記導出インジケーションを用いて検証される、
処理回路を備える、テレマティクスデータを処理する通信デバイス。
【請求項２】
前記処理回路はさらに、
秘密暗号化鍵を用いて前記テレマティクスデータを暗号化して暗号化テレマティクスデータを生成し、
前記通信デバイスがアクセス可能なデータ格納位置に前記暗号化テレマティクスデータを格納し、
前記第三者からの前記回答の前記要求に応答して、
前記通信デバイスがアクセス可能な前記データ格納位置から前記暗号化テレマティクスデータを取得し、
前記通信デバイスがアクセス可能な前記データ格納位置からの前記暗号化テレマティクスデータを復号して復号テレマティクスデータを生成し、
前記テレマティクスデータを用いて前記回答を演算する動作は、前記復号テレマティクスデータを用いて実行される、
請求項１に記載の通信デバイス。
【請求項３】
前記処理回路はさらに、
前記テレマティクスデータに暗号学的ハッシュ関数を作用させることによって前記テレマティクスデータの前記導出インジケーションを生成する、
請求項２に記載の通信デバイス。
【請求項４】
前記処理回路はさらに、
前記自動車の少なくとも１つのオペレーショナルサブシステムまたはデータセンサから車両データを受信し、
秘密暗号化鍵を用いて前記車両データを暗号化して暗号化車両データを生成し、
前記通信デバイスがアクセス可能な前記データ格納位置に前記暗号化車両データを格納し、
前記車両データに対する第２の要求に応答して、前記データ格納位置から前記暗号化車両データを取得する、
請求項２に記載の通信デバイス。
【請求項５】
前記データ記録システムは、ブロックチェーンを利用して、前記テレマティクスデータの前記導出インジケーションを記録する、
請求項１に記載の通信デバイス。
【請求項６】
前記回答の前記有効性証明は、ゼロ知識証明において使用する情報を提供し、前記第三者が、前記有効性証明と、前記ブロックチェーンに格納された前記テレマティクスデータの前記導出インジケーションとを使用して、前記回答の有効性を判断することを可能にする、
請求項５に記載の通信デバイス。
【請求項７】
前記処理回路はさらに、
前記データ記録システムから、前記テレマティクスデータの前記導出インジケーションを取得し、
前記ブロックチェーンから取得された前記テレマティクスデータの前記導出インジケーションを用いて、前記回答の前記有効性証明を演算する、
請求項５に記載の通信デバイス。
【請求項８】
前記処理回路はさらに、
前記自動車の前記テレマティクスシステムからの前記テレマティクスデータを要求する、
請求項１に記載の通信デバイス。
【請求項９】
前記処理回路はさらに、
前記自動車の少なくとも１つのオペレーショナルサブシステムまたはデータセンサから車両データを受信し、
前記車両データの導出インジケーションを前記データ記録システムに伝達し、
前記回答を演算する動作は前記車両データの使用をさらに含み、前記回答の前記有効性証明は前記車両データの前記導出インジケーションを使用して検証される、
請求項１に記載の通信デバイス。
【請求項１０】
前記自動車の通信トランシーバと無線通信リンクを確立するトランシーバをさらに備え、
前記テレマティクスデータは、前記通信デバイスの前記トランシーバと前記自動車の前記通信トランシーバとの間に確立された前記無線通信リンクを介して、前記自動車の前記テレマティクスシステムから受信される、
請求項１に記載の通信デバイス。
【請求項１１】
前記自動車の前記テレマティクスシステムから受信された前記テレマティクスデータが、前記自動車内の検証済みのソースを指示するハードウェア署名を含む、
請求項１に記載の通信デバイス。
【請求項１２】
コンピューティングシステムの処理回路において実行される電子的動作を備え、前記電子的動作は、
自動車のテレマティクスシステムからテレマティクスデータを受信する動作と、
前記テレマティクスデータの導出インジケーションをデータ記録システムに伝達する動作と、
第三者からの回答の要求に応答して前記テレマティクスデータを用いて前記回答を演算する動作と、
前記回答および前記回答の有効性証明を前記第三者に伝達する動作であって、前記回答の前記有効性証明は前記テレマティクスデータの前記導出インジケーションを用いて検証される、動作とを含む、
テレマティクスデータ処理のための方法。
【請求項１３】
前記電子的動作は、
秘密暗号化鍵を用いて前記テレマティクスデータを暗号化して暗号化テレマティクスデータを生成する動作と、
前記コンピューティングシステムがアクセス可能なデータ格納位置に前記暗号化テレマティクスデータを格納する動作と、
前記第三者からの前記回答の前記要求に応答して、
前記コンピューティングシステムがアクセス可能な前記データ格納位置から前記暗号化テレマティクスデータを取得する動作と、
前記コンピューティングシステムがアクセス可能な前記データ格納位置からの前記暗号化テレマティクスデータを復号して復号テレマティクスデータを生成する動作と、をさらに含み、
前記テレマティクスデータを用いて前記回答を演算する動作は、前記復号テレマティクスデータを用いて実行される、
請求項１２に記載の方法。
【請求項１４】
前記電子的動作は、
前記テレマティクスデータに暗号学的ハッシュ関数を作用させることによって前記テレマティクスデータの前記導出インジケーションを生成する動作をさらに含む、
請求項１３に記載の方法。
【請求項１５】
前記電子的動作は、
前記自動車の少なくとも１つのオペレーショナルサブシステムまたはデータセンサから車両データを受信する動作と、
秘密暗号化鍵を用いて前記車両データを暗号化して暗号化車両データを生成する動作と、
前記コンピューティングシステムがアクセス可能な前記データ格納位置に前記暗号化車両データを格納する動作と、
前記車両データに対する第２の要求に応答して、前記データ格納位置から前記暗号化車両データを取得する動作と、をさらに含む、
請求項１３に記載の方法。
【請求項１６】
前記データ記録システムがブロックチェーンを利用して、前記テレマティクスデータの前記導出インジケーションを記録する、
請求項１２に記載の方法。
【請求項１７】
前記回答の前記有効性証明が、ゼロ知識証明において使用する情報を提供し、前記第三者が、前記有効性証明と、前記ブロックチェーンに格納された前記テレマティクスデータの前記導出インジケーションとを使用して、前記回答の有効性を判断することを可能にする、
請求項１６に記載の方法。
【請求項１８】
前記電子的動作が、
前記データ記録システムから、前記テレマティクスデータの前記導出インジケーションを取得する動作と、
前記ブロックチェーンから取得された前記テレマティクスデータの前記導出インジケーションを用いて、前記回答の前記有効性証明を演算する動作とをさらに含む、
請求項１６に記載の方法。
【請求項１９】
前記電子的動作は、
前記自動車の前記テレマティクスシステムからの前記テレマティクスデータを要求する動作をさらに含む、
請求項１２に記載の方法。
【請求項２０】
前記電子的動作は、
前記自動車の少なくとも１つのオペレーショナルサブシステムまたはデータセンサから車両データを受信する動作と、
前記データ記録システムに、前記車両データの導出インジケーションを伝達する動作と、をさらに含み、
前記回答を演算する前記電子的動作は、前記車両データの使用をさらに含み、前記回答の前記有効性証明は、前記車両データの前記導出インジケーションを使用して検証される、
請求項１２に記載の方法。
【請求項２１】
前記電子的動作は、
前記自動車の通信トランシーバと無線通信リンクを確立する動作をさらに含み、
前記自動車の前記通信トランシーバと確立された前記無線通信リンクを介して、前記テレマティクスデータが前記自動車の前記テレマティクスシステムから受信される、
請求項２０に記載の方法。
【請求項２２】
請求項１２から２１のいずれか一項に記載の方法を実行する手段を備える、装置。
【請求項２３】
コンピューティングシステムによって実行されたとき、前記コンピューティングシステムに、請求項１２から２１のいずれか一項に記載の方法を実行させるためのプログラム。
【請求項２４】
自動車のオペレーショナルシステムのテレマティクスデータを収集するテレマティクスシステムと、
データ格納およびブロックチェーンレコード処理を備え、前記データ格納を用いてブロックチェーンデータレコードに前記テレマティクスデータの導出インジケーションを格納する、パブリックデータシステムと、
前記テレマティクスシステムからテレマティクスデータを受信し、
前記ブロックチェーンデータレコードに記録されるべき前記テレマティクスデータの前記導出インジケーションを前記パブリックデータシステムに伝達し、
前記テレマティクスデータを用いて回答を演算し、
前記回答と、前記回答の有効性証明とを伝達する処理回路であって、前記回答の前記有効性証明は、前記テレマティクスデータの前記導出インジケーションを用いて、前記ブロックチェーンデータレコードに記録されたものであると検証可能である、
処理回路を備える接続されているコンピューティングデバイスと、  を備える、テレマティクスデータ処理システム。
【請求項２５】
前記自動車の前記テレマティクスシステムから取得される前記テレマティクスデータの暗号化された形態を格納する格納メモリをさらに備え、
前記格納メモリおよび前記接続されているコンピューティングデバイスは前記自動車に一体化される、
請求項２４に記載のテレマティクスデータ処理システム。
【請求項２６】
請求項２３に記載のプログラムを記録した、少なくとも１つの機械可読格納媒体。